(57)【特許請求の範囲】
【請求項１】
在庫商品の個別管理情報を在庫商品情報として記録する在庫商品記録部と、
販売時に商品の個別管理情報を読み取る情報読み取り部と、
前記情報読み取り部で読み取った個別管理情報を、前記在庫商品情報と比較して、一致する在庫商品情報があるか否かを判断する情報比較部と、
前記情報比較部が、一致する在庫商品情報なしと判断したときに、警告を行う警告部と
を備える商品管理システム。
【請求項２】
請求項１に記載の商品管理システムにおいて、
前記情報比較部が、一致する在庫商品情報ありと判断したときに、前記在庫商品記録部に、その在庫商品情報を消去させる記録制御部をさらに備える
ことを特徴とする商品管理システム。
【請求項３】
販売済の商品の個別管理情報を販売済商品情報として記録する販売済商品記録部と、
販売時に商品の個別管理情報を読み取る情報読み取り部と、
前記情報読み取り部で読み取った個別管理情報を、前記販売済商品情報と比較して、一致する販売済商品情報があるか否かを判断する情報比較部と、
前記情報比較部が、一致する販売済商品情報ありと判断したときに、警告を行う警告部と
を備える商品管理システム。
【請求項４】
請求項３に記載の商品管理システムにおいて、
前記情報比較部が、一致する販売済商品情報なしと判断したときに、前記販売済商品記録部に、前記情報読み取り部で読み取った個別管理情報を記録させる記録制御部をさらに備える
ことを特徴とする商品管理システム。
【請求項５】
在庫商品の個別管理情報を在庫商品情報として記録する在庫商品記録部と、
販売済の商品の個別管理情報を販売済商品情報として記録する販売済商品記録部と、
販売時に商品の個別管理情報を読み取る情報読み取り部と、
前記情報読み取り部で読み取った個別管理情報を、前記在庫商品情報及び前記販売済商品情報と比較して、一致する在庫商品情報又は販売済商品情報があるか否かを判断する情報比較部と、
前記情報比較部が、一致する在庫商品情報なしと判断したとき、又は一致する販売済商品情報ありと判断したときに、警告を行う警告部と
を備える商品管理システム。
【請求項６】
請求項５に記載の商品管理システムにおいて、
前記情報比較部が、一致する在庫商品情報ありと判断し、かつ、一致する販売済商品情報なしと判断したときに、その在庫商品情報を前記在庫商品記録部に消去させて、前記販売済商品記録部に記録させる記録制御部をさらに備える
ことを特徴とする商品管理システム。
【請求項７】
請求項４又は請求項６に記載の商品管理システムにおいて、
前記記録制御部は、前記販売済商品記録部に記録させた個別管理情報を、所定期間経過後に消去させる
ことを特徴とする商品管理システム。
【請求項８】
請求項１から請求項７までのいずれか１項に記載の商品管理システムを使用する商品管理システムの使用方法であって、
販売する全商品に個別管理情報をあらかじめ与えておき、その個別管理情報に基づいて、在庫商品の在庫商品情報及び／又は販売済商品の販売済商品情報を記録して、販売時に、商品の個別管理情報を読み取って、その読み取った個別管理情報と、記録しておいた在庫商品情報及び／又は販売済商品情報とを比較して、一致するか否かによって、販売履歴を確認することで、侵入品の混入を防止することを特徴とする商品管理システムの使用方法。
【発明の詳細な説明】
【０００１】
【発明の属する技術分野】
本発明は、小売店舗にて販売する商品の販売履歴を管理する商品管理システム及びその使用方法に関するものである。
【０００２】
【従来の技術】
従来、この種の商品管理システムとしては、いわゆるＰＯＳシステムが広く普及している。
また、このようなＰＯＳシステムに改良を加えたものが、種々提案されている（特開昭５２−１３２６５１号公報、特開平５−１０１２１３号公報、特開平６−２３１３６４号公報など）。
特開昭５２−１３２６５１号公報、特開平５−１０１２１３号公報のＰＯＳシステムは、バーコードリーダを備えるショッピングカートを利用するものである。このようなショッピングカートに顧客が購入する商品を入れると、バーコードが読み取られる。これにより、レジでのバーコード読み取り作業が不要になるため、レジでの会計処理を迅速に済ませることができる。
特開平６−２３１３６４号公報のＰＯＳシステムは、帯磁可能なバーコードと、店舗出入口に設置された磁気検知装置とを利用するシステムである。すなわち、このシステムは、商品のバーコードをあらかじめ帯磁させておき、レジにて、会計を済ませた商品のバーコードを消磁する。このようにして、会計を済ませた商品は、消磁されているが、会計を済ませていない商品は、帯磁したままなので、店舗出入口の磁気検知装置によって、会計を済ませていない商品を探知することができる。
【０００３】
【発明が解決しようとする課題】
しかし、前述した特開昭５２−１３２６５１号公報、特開平５−１０１２１３号公報のＰＯＳシステムでは、飲料商品等の商品名を特定するＪＡＮコードを利用しているので、たとえ、異物を混入した商品が何者かによって外部から持ち込まれても、そのような商品を判別することは、できなかった。
また、前述した特開平６−２３１３６４号公報のＰＯＳシステムでは、商品が、何者かによって持ち込まれたものであれば、帯磁していないので、何らかの異常のある商品であることを判別することができる。しかし、バーコードを帯磁・消磁させる設備や、出入口の磁気検知装置が必要になり、コストがかかる。
【０００４】
本発明の課題は、何者かによって持ち込まれた商品を判別することができ、設備コストもかからない商品管理システム及びその使用方法を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、在庫商品の個別管理情報を在庫商品情報として記録する在庫商品記録部（１１）と、販売時に商品の個別管理情報を読み取る情報読み取り部（１３）と、情報読み取り部（１３）で読み取った個別管理情報を、前記在庫商品情報と比較して、一致する在庫商品情報があるか否かを判断する情報比較部（１４）と、前記情報比較部が、一致する在庫商品情報なしと判断したときに、警告を行う警告部（１３ａ）とを備える商品管理システムである。
【０００６】
請求項２の発明は、請求項１に記載の商品管理システムにおいて、前記情報比較部が、一致する在庫商品情報ありと判断したときに、前記在庫商品記録部に、その在庫商品情報を消去させる記録制御部（１４）をさらに備えることを特徴とする商品管理システムである。
【０００７】
請求項３の発明は、販売済の商品の個別管理情報を販売済商品情報として記録する販売済商品記録部（１２）と、販売時に商品の個別管理情報を読み取る情報読み取り部（１３）と、前記情報読み取り部で読み取った個別管理情報を、前記販売済商品情報と比較して、一致する販売済商品情報があるか否かを判断する情報比較部（１４）と、前記情報比較部が、一致する販売済商品情報ありと判断したときに、警告を行う警告部（１３ａ）とを備える商品管理システムである。
【０００８】
請求項４の発明は、請求項３に記載の商品管理システムにおいて、前記情報比較部が、一致する販売済商品情報なしと判断したときに、前記販売済商品記録部に、前記情報読み取り部で読み取った個別管理情報を記録させる記録制御部（１４）をさらに備えることを特徴とする商品管理システムである。
【０００９】
請求項５の発明は、在庫商品の個別管理情報を在庫商品情報として記録する在庫商品記録部（１１）と、販売済の商品の個別管理情報を販売済商品情報として記録する販売済商品記録部（１２）と、販売時に商品の個別管理情報を読み取る情報読み取り部（１３）と、前記情報読み取り部で読み取った個別管理情報を、前記在庫商品情報及び前記販売済商品情報と比較して、一致する在庫商品情報又は販売済商品情報があるか否かを判断する情報比較部（１４）と、前記情報比較部が、一致する在庫商品情報なしと判断したとき、又は一致する販売済商品情報ありと判断したときに、警告を行う警告部（１３ａ）とを備える商品管理システムである。
【００１０】
請求項６の発明は、請求項５に記載の商品管理システムにおいて、前記情報比較部が、一致する在庫商品情報ありと判断し、かつ、一致する販売済商品情報なしと判断したときに、その在庫商品情報を前記在庫商品記録部に消去させて、前記販売済商品記録部に記録させる記録制御部（１４）をさらに備えることを特徴とする商品管理システムである。
【００１１】
請求項７の発明は、請求項４又は請求項６に記載の商品管理システムにおいて、前記記録制御部は、前記販売済商品記録部に記録させた個別管理情報を、所定期間経過後に消去させることを特徴とする商品管理システムである。
【００１２】
請求項８の発明は、請求項１から請求項７までのいずれか１項に記載の商品管理システムを使用する商品管理システムの使用方法であって、販売する全商品に個別管理情報をあらかじめ与えておき、その個別管理情報に基づいて、在庫商品の在庫商品情報及び／又は販売済商品の販売済商品情報を記録して、販売時に、商品の個別管理情報を読み取って、その読み取った個別管理情報と、記録しておいた在庫商品情報及び／又は販売済商品情報とを比較して、一致するか否かによって、販売履歴を確認することで、侵入品の混入を防止することを特徴とする商品管理システムの使用方法である。
【００１３】
【発明の実施の形態】
以下、図面等を参照して、本発明の実施の形態について、さらに詳しく説明する。
（実施形態）
図１は、本発明による商品管理システムの一実施形態を示す図である。
商品管理システム１０は、在庫商品データベース１１と、販売済商品データベース１２と、ＰＯＳレジ１３と、ターミナルコントローラ１４とを備える。
【００１４】
在庫商品データベース１１は、入荷した商品２０に貼付したバーコード２０ａの情報を在庫商品情報として記録するデータベースであり、ターミナルコントローラ１４に接続されている。また、在庫商品データベース１１は、販売した商品２０の在庫商品情報を消去する。
【００１５】
販売済商品データベース１２は、販売した商品２０に貼付してあったバーコード２０ａの情報を販売済商品情報として記録しておくデータベースであり、ターミナルコントローラ１４に接続されている。また、販売済商品データベース１２は、販売後、一定期間経過した販売済商品情報を消去する。
【００１６】
ＰＯＳレジ１３は、会計時に商品２０のバーコード２０ａを読み取る端末であり、ターミナルコントローラ１４に接続されている。また、ＰＯＳレジ１３は、入荷した商品２０に貼付したバーコード２０ａの情報を入力する。さらに、ＰＯＳレジ１３は、ディスプレイ１３ａを有し、商品２０に何らかの異常があるときに、警告を表示する。
【００１７】
なお、商品２０に貼付するバーコード２０ａは、従来のＰＯＳシステムで使用されている少品種別毎にコードが商品に印刷されているＪＡＮコード２０ｂとは別のものであり、１つ１つの商品を管理するために、同じ種別の商品であっても、商品１つ１つに対応するコードである個別管理情報であり、例えば、商品種別にかかわらず、一連の番号のものを使用するとよい。このようにすれば、店員は、商品を問わず、バーコード２０ａを機械的に貼付すればよいので、作業負担が少ない。また、貼付後は、貼付した連番のバーコード２０ａの始番及び終番のみをＰＯＳレジ１３に入力すればよいので、貼付した各々の番号すべてについて入力するという作業が不要であるため、入力作業が容易である。
また、このバーコード２０ａの何桁かに、系列会社番号や、店舗番号を入れておけば、他の店舗の商品とも識別することができる。
【００１８】
ターミナルコントローラ１４は、在庫商品データベース１１、販売済商品データベース１２及びＰＯＳレジ１３を接続し、システム全体を制御するコントローラである。ターミナルコントローラ１４は、入荷した商品２０に貼付するバーコード２０ａをＰＯＳレジ１３から入力させて、その情報を在庫商品データベース１１に在庫商品情報として記録させる。
また、ターミナルコントローラ１４は、会計時に商品２０のバーコード２０ａをＰＯＳレジ１３に読み取らせ、その情報を販売済商品データベース１２に販売済商品情報として記録させるとともに、在庫商品データベース１１に在庫商品情報として記録してある情報を消去させる。
さらに、ターミナルコントローラ１４は、ＰＯＳレジ１３に読み取らせた販売商品２０のバーコード２０ａの情報を在庫商品情報及び販売済商品情報と一致するか否か比較して、その販売商品２０が侵入品でないか否か判断する。
さらにまた、ターミナルコントローラ１４は、一定期間経過した販売済商品情報を販売済商品データベース１２から消去させる。
【００１９】
（使用方法）
商品管理システム１０は、以下のように使用する。
（１）使用者は、連番のバーコード２０ａを商品２０に貼り、そのバーコード２０ａの始番及び終番をＰＯＳレジ１３から入力した後、商品２０を陳列棚に並べる。
（２）使用者は、商品販売時に、商品２０のバーコード２０ａをＰＯＳレジ１３で読み取る。
このとき、商品２０が外部から持ち込まれた侵入品であるときは、ＰＯＳレジ１３のディスプレイ１３ａに警告表示されるので、使用者は、その商品２０に、異常のあることが、容易にわかる。
【００２０】
（動作方法）
ターミナルコントローラ１４の動作を中心として、本発明の実施形態に係る商品管理システム１０の動作を説明する。
図２は、本発明の実施形態に係る商品管理システムの在庫商品情報の入力動作を説明するフローチャートである。
【００２１】
ステップ（以下「Ｓ」という。）１１０において、使用者が、ＰＯＳレジ１３の情報入力スイッチを操作することで、ターミナルコントローラ１４は、在庫商品情報の入力動作を開始する。
【００２２】
Ｓ１１１において、ターミナルコントローラ１４は、使用者に対して、商品２０に貼った連番のバーコード２０ａの始番及び終番をＰＯＳレジ１３から入力させる。
【００２３】
Ｓ１１２において、ターミナルコントローラ１４は、入力された始番及び終番を在庫商品データベース１１に記録させる。
【００２４】
Ｓ１１３において、ターミナルコントローラ１４は、在庫商品情報の入力動作を終了する。
【００２５】
図３は、本発明の実施形態に係る商品管理システムの侵入品判別動作を説明するフローチャートである。
Ｓ１２０において、使用者が、販売時に、ＰＯＳレジ１３で、商品２０のバーコード２０ａを読み取ることで、ターミナルコントローラ１４は、侵入品の判別動作を開始する。
【００２６】
Ｓ１２１において、ターミナルコントローラ１４は、読み取ったバーコード２０ａの情報に一致する在庫商品情報が、在庫商品データベース１１に記録されているか否かを判断する。記録されているときは、Ｓ１２２へ進む。記録されていないときは、Ｓ１２５へ進む。
【００２７】
Ｓ１２２において、ターミナルコントローラ１４は、読み取ったバーコード２０ａの情報に一致する販売済商品情報が、販売済商品データベース１２に記録されているか否かを判断する。記録されていないときは、Ｓ１２３へ進む。記録されているときは、Ｓ１２５へ進む。
【００２８】
Ｓ１２３において、ターミナルコントローラ１４は、読み取ったバーコード２０ａの情報を販売日付とともに、販売済商品データベース１２に記録する。
【００２９】
Ｓ１２４において、ターミナルコントローラ１４は、読み取ったバーコード２０ａの在庫商品情報を在庫商品データベース１１から消去する。
【００３０】
Ｓ１２５において、ターミナルコントローラ１４は、ＰＯＳレジ１３のディスプレイ１３ａに、警告表示を行う。
【００３１】
Ｓ１２６において、ターミナルコントローラ１４は、侵入品の判別動作を終了する。
【００３２】
本実施形態によれば、販売する商品のバーコード情報を在庫商品情報と比較するので、在庫商品情報として記録されていない外部から持ち込まれた商品を容易に判別することができる。
また、一旦販売された商品は、データベース１２にその販売履歴が記録されているので、再度、店舗に持ち込まれても、外部から持ち込まれた商品であることを簡単に識別することができる。
さらに、販売済商品データベース１２は、一定期間経過した販売済商品情報を消去するので、販売済商品情報が記録容量を超えてしまうことがない。
【００３３】
（変形形態）
以上説明した実施形態に限定されることなく、種々の変形や変更が可能であって、それらも本発明の均等の範囲内である。
例えば、実施形態では、商品の個別管理情報として、バーコードを挙げたが、このバーコードは、２次元バーコードを使用してもよい。そのようにすれば、多くの情報を入力できるので、より詳細な管理を行うことができる。
また、個別管理情報を記録した非接触ＩＣを貼付してもよい。そのようにすれば、さらに、多くの情報を入力できるので、さらに詳細な管理を行うことができる。
【００３４】
【発明の効果】
以上詳しく説明したように、請求項１の発明によれば、在庫商品の個別管理情報を在庫商品情報として記録し、情報読み取り部で読み取った個別管理情報を在庫商品情報と比較して、一致する在庫商品情報がないときは、警告を行うので、商品の何らかの異常が容易にわかる。
【００３５】
請求項２の発明によれば、一致する在庫商品情報があるときは、在庫商品記録部から、その在庫商品情報を消去するので、販売後に持ち込まれた商品を発見することができ、また、在庫商品記録部の記録容量を有効活用することができる。
【００３６】
請求項３の発明によれば、販売済の商品の個別管理情報を販売済商品情報として記録し、情報読み取り部で読み取った個別管理情報を販売済商品情報と比較して、一致する販売済商品情報があるときは、警告を行うので、商品の何らかの異常が容易にわかる。
【００３７】
請求項４の発明によれば、一致する販売済商品情報がないときは、販売済商品記録部に、個別管理情報を記録させるので、一旦販売された商品が、再度、店舗に持ち込まれてた場合に、簡単に識別することができる。
【００３８】
請求項５の発明によれば、在庫商品の個別管理情報を在庫商品情報として記録し、販売済の商品の個別管理情報を販売済商品情報として記録し、情報読み取り部で読み取った個別管理情報を在庫商品情報及び販売済商品情報と比較して、一致する在庫商品情報又は販売済商品情報の有無により警告を行うので、商品の何らかの異常をより確実に発見することができる。
【００３９】
請求項６の発明によれば、一致する在庫商品情報があり、かつ、一致する販売済商品情報がないときに、その在庫商品情報を在庫商品記録部から消去して、販売済商品記録部に記録するので、一旦販売された商品が、再度、店舗に持ち込まれてた場合に、簡単かつ確実に識別することができる。
【００４０】
請求項７の発明によれば、販売済商品記録部に記録させた個別管理情報を、所定期間経過後に消去させるので、販売済商品記録部の記録容量を有効活用することができる。
【００４１】
請求項８の発明によれば、販売する全商品にあらかじめ与えておいた個別管理情報に基づいて、販売履歴を確認するので、侵入品の混入を確実に防止することができる。
【図面の簡単な説明】
【図１】本発明による商品管理システムの一実施形態を示す図である。
【図２】本発明の実施形態に係る商品管理システムの在庫商品情報の入力動作を説明するフローチャートである。
【図３】本発明の実施形態に係る商品管理システムの侵入品判別動作を説明するフローチャートである。
【符号の説明】
１０  商品管理システム
１１  在庫商品データベース
１２  販売済商品データベース
１３  ＰＯＳレジ
１３ａ  ディスプレイ
１４  ターミナルコントローラ
２０  商品
２０ａ  バーコード
２０ｂ  ＪＡＮコード
【図１】
0004195750.tif 000002
【図２】
0004195750.tif 000003
【図３】
0004195750.tif 000004